(57)【要約】【課題】  操作性が向上するだけでなく、電池蓋配置の自由度も高く、デザイン重視のレイアウトが可能な電池収納装置を提供する。【解決手段】  電池蓋６には、少なくとも、回動支軸７による回動方向の面の蓋主面６ａと、回動支軸７に直交する蓋側面６ｂとを有し、閉蓋時の蓋主面６ａが電池収納室５に収納された電池Ｂの軸心方向と直交する面となるように構成され、また、電池蓋６は、前記蓋主面６ａ内側に形成され電池端子９にスライド可能に嵌合する嵌合部１２と、機器本体に形成された係合部１１にロックされるロック片１０と、前記蓋側面６ｂに形成され電池蓋を開閉操作する際の手指の掛かりとなる凸状部８とを設け、前記電池蓋６を、閉蓋状態から凸状部８への手指Ａの掛かりで、スライド操作に連続して回動操作を行うことにより開蓋可能とした。【選択図】  図１
2006147443.tif 000002
【特許請求の範囲】
【請求項１】
開口部を形成した電池収納室と、機器本体に設けた回動支軸に回動自在に支持された一方の電池端子と、前記電池端子にスライド可能に取り付けられ前記開口部を開閉可能な電池蓋とを備え、
前記電池蓋は、少なくとも、前記回動支軸による回動方向の面の蓋主面と、回動支軸に直交する蓋側面とを有し、閉蓋時の蓋主面が前記電池収納室に収納された電池の軸心方向と直交する面となるように構成され、
また、前記電池蓋は、前記蓋主面内側に形成され前記電池端子にスライド可能に嵌合する嵌合部と、機器本体に形成された係合部にロックされるロック片と、前記蓋側面に形成され電池蓋を開閉操作する際の手指の掛かりとなる凸状部とを設け、
前記電池蓋を、閉蓋状態から凸状部への手指の掛かりで、スライド操作に連続して回動操作を行うことにより開蓋可能とした、
ことを特徴とする電池収納装置。
【請求項２】
前記凸状部は、スライド方向の掛かりとなる凸状部と、回動方向の掛かりとなる凸状部を形成したことを特徴とする請求項１記載の電池収納装置。
【発明の詳細な説明】
【技術分野】
【０００１】
本発明は、電池を収納する電池室及び該電池室を覆う電池蓋とを有した電池収納装置に関するものである。
【背景技術】
【０００２】
電池を駆動源とする携帯用小型電子機器（ＭＤプレーヤ等）の電池収納装置における電池蓋は、当該電池蓋のロックを解除するスライド操作と、開閉する回動操作を行うものが一般的である。
【０００３】
この種電池収納装置の例として、特許文献１に開示されているものがある。この特許文献１の例では、同特許文献１において、蓋２６を開放する場合には、まず図３(a) に示す閉じた状態から、(b) に示す様にバネ端子３８に抗して間隙ｈ３の分（プッシュストローク）だけ蓋２６を張出し部３５へ向けて押付けることにより、筐体側の係止突起３７に対する蓋側のＬ字突起３８の係合を一旦解除してから、続いて(c) に示す様に蓋２６を矢印Ｄで示す前方へ引出して両突起同士の係合を完全に解除する。前方への引出し位置は、ピン３０がガイド部３１の前側縁部に係止されることによりその限界を規定されている。その後は(d) に示す様にバネ端子３８により付勢された電池２５によって蓋２６が開放されるので、最後は人手により所望の開放角度にまで蓋２６を開放すれば良いものである。
【０００４】
このような電池蓋においては、電池蓋のロックを解除するためにスライドさせる操作と、解除後の電池蓋を回動させる操作が必要であり、その説明を図８，図９に基づいて行う。機器本体６０に対して、電池蓋５０の表面に形成した複数の凸部５１を手指Ａにより矢印イ方向にスライドすることにより、電池蓋５０の係止片５２を機器本体６０の係合部６１から外し、この状態で電池蓋５０の先端を手指Ａで矢印ロ方向に持ち上げることにより、当該電池蓋５０を開蓋することができるものである。
【特許文献１】特開平６−３４９４６６号公報
【発明の開示】
【発明が解決しようとする課題】
【０００５】
このように従来の携帯用ＭＤプレーヤなどの電池収納装置の電池出し入れ時の電池収納部開閉操作は、（１）電池蓋をスライドさせる、（２）電池蓋の端面を持ち上げて回動させて開蓋する、という２アクションの操作が必要であり、従来はそうしないと衝撃等で電池蓋が簡単に開き安定した電源供給ができないものであり、また、端面を持上げる構成の為、製品端部に配置しなければならないものであった。
【０００６】
本発明は、電池収納部の電池蓋の開蓋操作を１アクションの操作で可能であり、ロック機構は従来と同じ信頼性ある構造にでき、更には配置の自由度も高くデザイン重視のレイアウトが可能な電池収納装置を提供することを目的とする
【課題を解決するための手段】
【０００７】
本発明の請求項１記載の電池収納装置は、開口部を形成した電池収納室と、機器本体に設けた回動支軸に回動自在に支持された一方の電池端子と、前記電池端子にスライド可能に取り付けられ前記開口部を開閉可能な電池蓋とを備え、前記電池蓋は、少なくとも、前記回動支軸による回動方向の面の蓋主面と、回動支軸に直交する蓋側面とを有し、閉蓋時の蓋主面が前記電池収納室に収納された電池の軸心方向と直交する面となるように構成され、また、前記電池蓋は、前記蓋主面内側に形成され前記電池端子にスライド可能に嵌合する嵌合部と、機器本体に形成された係合部にロックされるロック片と、前記蓋側面に形成され電池蓋を開閉操作する際の手指の掛かりとなる凸状部とを設け、前記電池蓋を、閉蓋状態から凸状部への手指の掛かりで、スライド操作に連続して回動操作を行うことにより開蓋可能としたものである。
【発明の効果】
【０００８】
本発明の電池収納装置よると、電池蓋の閉蓋状態から凸状部への手指の掛かりで、スライド操作に連続して回動操作を行うことにより開蓋可能としたものであるため、電池収納部における開蓋操作は、電池蓋をスライドさせながら回動させるという１アクションの操作で可能であり、操作性が向上するだけでなく、電池蓋配置の自由度も高く、デザイン重視のレイアウトが可能な電池収納装置を提供することができる。
【発明を実施するための最良の形態】
【０００９】
以下、本発明の電池収納装置を実施すための最良の形態について、図１から図７を用いて詳細に説明する。
【００１０】
（実施の形態１）
以下、本発明の電池収納装置の１実施の形態として、携帯MDプレーヤに採用した例について、図１~図５に基づいて説明する。
【００１１】
図１は本発明の実施形態における電池収納装置の裏面の斜視図、図２は同外観平面図、図３は外観側面図、図４は同電池蓋の開閉動作説明図、図５同電池蓋部の断面図である。
【００１２】
これらの図において、１は機器本体を構成する上筐体、２は同下筐体、３は同中間キャビネットであり、下筐体２の側面一部に電池収納装置が構成されている。すなわち、開口部４を形成した電池収納室５を設け、開口部４を閉じる電池蓋６を回動支軸７を中心として開閉自在に構成している。ここで、電池蓋６は、少なくとも、回動支軸７による回動方向の面となる蓋主面６ａと、回動支軸７に直交しかつ下筐体２の下面側となる蓋側面６ｂとを有し、電池蓋６の閉蓋時における蓋主面６ａが電池収納室５に収納された充電式電池Ｂの軸心方向と直交する面となるように構成されており、蓋側面６ｂに電池蓋６の開閉操作時の手指の掛かりとなる凸状部８が形成されている。また、電池蓋６は回動支軸７に連結された第１の電池端子９にスライド可能に取り付けられており、当該電池蓋６に形成されたロック片１０が機器本体を構成する中間キャビネット３に形成した係合部１１にロックされるようになっている。ここで、電池蓋６がスライド可能なストロークは、閉蓋時における電池蓋先端縁６ｃと、下筐体２に形成された開口部４の段部２ａの壁面２ｂとの間の間隔Ｈの範囲（図３，４等参照）であり、電池蓋先端縁６ｃが段部壁面２ｂに当接する位置までである。これに対して、電池蓋６に形成されたロック片１０が係合部１１にロックされるための掛かり寸法ｈを、間隔Ｈより小さく設定しておくことにより、電池蓋６のスライドにより当該電池蓋６の機器本体へのロックを解除することができる。
【００１３】
電池蓋６に対する第１の電池端子９の取付は、蓋主面６ａ内側に形成された嵌合部１２に第１の電池端子９をスライド可能に嵌合することにより実現しており、その嵌合により電池蓋６は第１の電池端子９により回動支軸７を介して機器本体に連結されている。
【００１４】
電池蓋６の蓋側面６ｂに形成した凸状部８は、スライド方向の掛かりとなる凸状部８ａと、回動方向の掛かりとなる凸状部８ｂを形成し、電池蓋６を閉蓋状態から開蓋状態とする際には、凸状部８への手指の掛かりで、まず凸状部８ａへの手指の掛かりによりスライド方向の操作を行い、これに連続して凸状部８ｂへの手指の掛かりにより回動操作を行うことにより開蓋可能としている。ここで、凸状部８ａ及び凸状部８ｂはその形状によっては、１つの凸状部８で初期の目的を達成できるものとすることができる。
【００１５】
電池収納室５に収納される電池Ｂは、第１の電池端子９に接触し接続される一方の電極Ｂ１（＋電極）と、収納奥側となる他方の電極Ｂ２（−電極）とを有し、電極Ｂ２は電池収納室５の奥端部に設けた第２の電池端子１３に接触し接続されるようになっている。第１の電池端子９は回動支軸７を介して取付金具１４に支持され、この取付金具１４と第２の電池端子１３は機器本体内部に配置されたプリント配線基盤１５に電気的に接続されると共に半田付けにより固定されている。
【００１６】
以上のような構成において、電池蓋６の開閉操作について、次に説明する。まず、電池蓋６の閉蓋状態では、電池蓋先端縁６ｃと段部壁面２ｂとの間の間隔がＨで、ロック片１０が係合部１１にロックされた状態にある。この状態で、図４に示すように、手指Ａを電池蓋６の蓋側面６ｂ上の凸状部８の部分に掛けて押圧しながら矢印Ｘ方向にスライドすることにより、前述の寸法ｈだけスライドした時点で係合部１１にロックされていたロック片１０のロック状態が解除され、この状態で、連続して手指の押圧方向を矢印Ｙ方向とすることにより、電池蓋６は回動支軸７を中心として回動することとなり、図４に仮想線で示すように開蓋状態とすることができる。
【００１７】
一方、電池蓋６の開蓋状態から閉蓋状態にするには、前述の開蓋動作とは反対の動作を行えば良い。すなわち電池蓋６の開蓋状態（図４の仮想線の状態）から、電池蓋６を回動支軸７を中心に回動して、電池蓋先端縁６ｃを段部壁面２ｂに対向させた状態で、手指Ａを電池蓋６の蓋側面６ｂ上の凸状部８の部分に掛けて押圧しながら、矢印Ｘと反対方向にスライドすることにより、ロック片１０を係合部１１にロックし、電池蓋６の閉蓋状態を完成することとなる。
【００１８】
以上説明した実施の形態１によれば、電池蓋先端縁６ｃの側に、危機本体に形成された開口部４の段部２ａの壁面２ｂがあったとしても、スライド可能間隔Ｈに対して、係合部１１に対するロック片１０の掛かり寸法ｈを小さく設定することによりロックを解除できると共に、蓋側面６ｂに形成した凸状部８への手指の掛かりで、スライド操作に連続して回動操作を行うことにより開蓋可能としたものであり、電池収納部における開蓋操作は、電池蓋をスライドさせながら回動させるという１アクションの操作で可能であり、操作性が向上するだけでなく、電池蓋配置の自由度も高く、デザイン重視のレイアウトが可能な電池収納装置を提供することができる。
【００１９】
（実施の形態２）
以上説明した実施の形態において、特徴とする「開口部を形成した電池収納室と、機器本体に設けた回動支軸に回動自在に支持された一方の電池端子と、前記電池端子にスライド可能に取り付けられ前記開口部を開閉可能な電池蓋とを備え、前記電池蓋は、少なくとも、前記回動支軸による回動方向の面の蓋主面と、回動支軸に直交する蓋側面とを有し、閉蓋時の蓋主面が前記電池収納室に収納された電池の軸心方向と直交する面となるように構成され、また、前記電池蓋は、前記蓋主面内側に形成され前記電池端子にスライド可能に嵌合する嵌合部と、機器本体に形成された係合部にロックされるロック片と、前記蓋側面に形成され電池蓋を開閉操作する際の手指の掛かりとなる凸状部とを設け、前記電池蓋を、閉蓋状態から凸状部への手指の掛かりで、スライド操作に連続して回動操作を行うことにより開蓋可能とした電池収納装置」の内容では、図６，７図に示す第２の実施形態のものにおいても同様の作用効果を奏することができるものである。
【００２０】
すなわち、開口部４及び電池収納室５を機器本体の端部に設け、電池蓋１６の先端１６ｃを機器本体側面側に開放された状態で配置するもので、この場合は、前述の実施の形態１における機器本体側の段部２ａ及び段部壁面２ｂに対応するものがなく、従って、電池蓋１６の蓋側面１６ｂに形成した凸状部８の押圧、スライド、回動操作により、実施の形態１と同様に開蓋することができる。ここで、前述した係合部１１に対するロック片１０の関係を実施の形態１と同様に構成しておけば、掛かり寸法ｈ分を図７の矢印Ｘ方向にスライドすることによりロックが解除され、これに連続して電池蓋１６を回動支軸７を知勇心に回動することにより、実施の形態１と同様に開蓋することができることとなる。ここで、実施の形態１の場合と異なるのは、電池蓋１６の先端縁１６ｃが当接するものがないことであり、電池蓋１６のスライドの制限は第１の電池端子９と嵌合部１２との嵌合により適宜行うことができる。
【産業上の利用可能性】
【００２１】
本発明は、電池を駆動源とするポータブルＭＤプレーヤ等の携帯用電子機器の電池収納装置として、電池の軸心方向にに対して直交する蓋主面を有するような構造の電池収納層に利用できる
【図面の簡単な説明】
【００２２】
【図１】本発明の第１実施形態における電池収納装置の裏面の斜視図
【図２】同外観平面図
【図３】同外観側面図
【図４】同電池蓋の開閉動作説明図
【図５】同電池蓋部の断面図
【図６】本発明の第２実施形態における電池収納装置の裏面の斜視図
【図７】同電池蓋の開閉動作説明図
【図８】従来の実施形態における電池収納装置の開閉動作説明用断面図
【図９】同電池蓋の開閉動作説明図
【符号の説明】
【００２３】
１    機器本体上筐体
２    機器本体下筐体
３    機器本体中間キャビネット
４    開口部
５    電池収納室５
６    電池蓋
６ａ  蓋主面
６ｂ  蓋側面
６ｃ  電池蓋先端縁
７    回動支軸
８    凸状部
９    第１の電池端子
１０  ロック片
１１  係合部
１２  嵌合部
１３  第２の電池端子
１４  取付金具
Ａ    手指
Ｂ    電池
Ｂ１  一方の電極
Ｂ２  他方の電極
【図１】
2006147443.tif 000003
【図２】
2006147443.tif 000004
【図３】
2006147443.tif 000005
【図４】
2006147443.tif 000006
【図５】
2006147443.tif 000007
【図６】
2006147443.tif 000008
【図７】
2006147443.tif 000009
【図８】
2006147443.tif 000010
【図９】
2006147443.tif 000011